(57)【要約】【課題】　トップテーブル３に高温に発熱する機器を載置しても外箱６や発泡断熱材８に高温の熱が伝わらないようにする【解決手段】　トップテーブル付冷蔵庫は両側壁及び背壁５等で形成される外箱６と、この外箱の上面に配置されるトップテーブル３と、このトップテーブル及び外箱６の内側に間隔を設けて配置される内箱７と、これらの内箱、外箱及びトップテーブルの間に充填する発泡断熱材８とで構成する。トップテーブル３は外箱６の上端縁に係止され上面中央に凹所１３を有するトップテーブル本体１０と、このトップテーブル本体の凹所１３に断熱空間１６を有する耐熱性のステンレス等の金属材料で形成されるテーブル部１１とで構成される。テーブル部１１はトップテーブル本体１０と略同一高さ、あるいは若干高くする。【選択図】　　図２
2004108773.tif 000002
【特許請求の範囲】
【請求項１】
両側壁及び背壁等で形成される外箱と、この外箱の上面に配置されるトップテーブルと、このトップテーブル及び外箱の内側に間隔を設けて配置される内箱と、これらの内箱、外箱及びトップテーブルの間に充填する発泡断熱材とで構成するトップテーブル付冷蔵庫において、前記トップテーブルは外箱の上端縁に係止され上面中央に凹所を有するトップテーブル本体と、このトップテーブル本体の凹所に配置され内部に断熱空間を有する耐熱性の材料で形成されるテーブル部とで構成したことを特徴とするトップテーブル付冷蔵庫。
【請求項２】
両側壁及び背壁等で形成される外箱と、この外箱の上面に配置されるトップテーブルと、このトップテーブル及び外箱の内側に間隔を設けて配置される内箱と、これらの内箱、外箱及びトップテーブルの間に充填する発泡断熱材とで構成するトップテーブル付冷蔵庫において、前記トップテーブルは外箱の上端縁に係止され上面中央に凹所を有するトップテーブル本体と、このトップテーブル本体の凹所に配置され内部に断熱空間を有する耐熱性のステンレス等の金属材料で形成されるテーブル部とで構成し、このテーブル部はトップテーブル本体と略同一高さ、あるいは若干高くしたことを特徴とするトップテーブル付冷蔵庫。
【請求項３】
両側壁及び背壁等で形成される外箱と、この外箱の上面に配置されるトップテーブルと、このトップテーブル及び外箱の内側に間隔を設けて配置される内箱と、これらの内箱、外箱及びトップテーブルの間に充填する発泡断熱材とで構成するトップテーブル付冷蔵庫において、前記トップテーブルは外箱の上端縁に係止され上面中央に凹所を有するトップテーブル本体と、このトップテーブル本体の凹所に配置され内部に空間を有する耐熱性の材料で形成されるテーブル部とで構成し、このテーブル部はトップテーブル本体より高く形成すると共に、前記空間に連通する孔を前記トップテーブル本体より上方に開口していることを特徴とするトップテーブル付冷蔵庫。
【請求項４】
両側壁及び背壁等で形成される外箱と、この外箱の上面に配置されるトップテーブルと、このトップテーブル及び外箱の内側に間隔を設けて配置される内箱と、これらの内箱、外箱及びトップテーブルの間に充填する発泡断熱材とで構成するトップテーブル付冷蔵庫において、前記トップテーブルは外箱の上端縁に係止され上面中央に凹所を有するトップテーブル本体と、このトップテーブル本体の凹所に配置され内部に空間を有する耐熱性の材料で形成されるテーブル部とで構成し、このテーブル部の空間に断熱材を設けたことを特徴とするトップテーブル付冷蔵庫。
【請求項５】
両側壁及び背壁等で形成される外箱と、この外箱の上面に配置されるトップテーブルと、このトップテーブル及び外箱の内側に間隔を設けて配置されて内部に冷却室を形成する内箱と、これらの内箱、外箱及びトップテーブルの間に充填する発泡断熱材とで構成するトップテーブル付冷蔵庫において、前記トップテーブルは外箱の上端縁に係止され上面中央に凹所を有する合成樹脂製のトップテーブル本体と、このトップテーブル本体の凹所に配置され内部に空間を有する耐熱性の材料で形成されるテーブル部とで構成し、前記トップテーブル本体の凹所と発泡断熱材との間に前記冷却室に一端を臨ませた熱伝導部材を配置したことを特徴とするトップテーブル付冷蔵庫。
【請求項６】
両側壁及び背壁等で形成される外箱と、この外箱の上面に配置されるトップテーブルと、このトップテーブル及び外箱の内側に間隔を設けて配置されて内部に冷凍装置によって冷却される冷却室を形成する内箱と、これらの内箱、外箱及びトップテーブルの間に充填する発泡断熱材とで構成するトップテーブル付冷蔵庫において、前記トップテーブルは外箱の上端縁に係止され上面中央に凹所を有する合成樹脂製のトップテーブル本体と、このトップテーブル本体の凹所に配置され内部に空間を有する耐熱性の材料で形成されるテーブル部とで構成し、前記トップテーブル本体の凹所と発泡断熱材との間に前記冷凍装置の低温部に一端を接続した熱伝導部材を配置したことを特徴とするトップテーブル付冷蔵庫。
【請求項７】
両側壁及び背壁等で形成される外箱と、この外箱の上面に配置されるトップテーブルと、このトップテーブル及び外箱の内側に間隔を設けて配置されて内部に冷却室を形成する内箱と、これらの内箱、外箱及びトップテーブルの間に充填する発泡断熱材とで構成するトップテーブル付冷蔵庫において、前記トップテーブルは外箱の上端縁に係止され上面中央に凹所を有する合成樹脂製のトップテーブル本体と、このトップテーブル本体の凹所に配置され内部に空間を有する耐熱性の材料で形成されるテーブル部とで構成し、前記トップテーブル本体の凹所内に熱線反射用のアルミシートを配置したことを特徴とするトップテーブル付冷蔵庫。
【発明の詳細な説明】
【技術分野】
【０００１】
　この発明は上面に物品を載置するトップテーブル付冷蔵庫に関する。
【背景技術】
【０００２】
　従来のこの種トップテーブル付冷蔵庫は例えば特許文献１に記載されているように、冷蔵庫本体は鋼板材を略Ｕ字状に折り曲げることで形成される両側壁、この側壁の背面側に設けられた背壁及びその天井部分に天井板として設けられるトップテーブルからなる外箱と、この外箱の内部に設けた発泡断熱材を介して前面側に開口された冷却室を形成する内箱と、前記冷却室の開口を閉塞する開閉自在に取り付けられた扉とで構成されている。
【０００３】
　そして、冷蔵庫本体の外箱を形成するトップテーブルは上面に物品を載置できるようにしている。
【特許文献１】実公平４−５１３５６号公報
【発明の開示】
【発明が解決しようとする課題】
【０００４】
　しかしながら、従来のトップテーブル付冷蔵庫ではトップテーブルを直接発泡断熱材に接触させているため、前記トップテーブルの上に載置するものがオーブンレンジやオーブン等の高温に発熱する機器の場合には冷蔵庫本体に変形が生じたり、発泡断熱材に高温の熱が伝わってこの発泡断熱材で二次発泡が起こって断熱性能が低下したりする等の問題があった。
【０００５】
　この発明は上記の問題を解決するもので、トップテーブルに高温に発熱する機器を載置しても外箱や発泡断熱材に高温の熱が伝わらないようにしたトップテーブル付冷蔵庫を提供することを目的とする。
【課題を解決するための手段】
【０００６】
　請求項１の発明では、両側壁及び背壁等で形成される外箱と、この外箱の上面に配置されるトップテーブルと、このトップテーブル及び外箱の内側に間隔を設けて配置される内箱と、これらの内箱、外箱及びトップテーブルの間に充填する発泡断熱材とで構成するトップテーブル付冷蔵庫において、前記トップテーブルを外箱の上端縁に係止し上面中央に凹所を有するトップテーブル本体と、このトップテーブル本体の凹所に配置し内部に断熱空間を有する耐熱性の材料で形成されるテーブル部とで構成し、このテーブル部にオーブン等の高温発熱機器を載置して使用したときに前記機器からの熱が外箱や発泡断熱材に伝わらないようにしている。
【０００７】
　請求項２の発明では、両側壁及び背壁等で形成される外箱と、この外箱の上面に配置されるトップテーブルと、このトップテーブル及び外箱の内側に間隔を設けて配置される内箱と、これらの内箱、外箱及びトップテーブルの間に充填する発泡断熱材とで構成するトップテーブル付冷蔵庫において、前記トップテーブルを外箱の上端縁に係止し上面中央に凹所を有するトップテーブル本体と、このトップテーブル本体の凹所に配置し内部に断熱空間を有する耐熱性のステンレス等の金属材料で形成されるテーブル部とで構成し、このテーブル部をトップテーブル本体と略同一高さ、あるいは若干高くし、前記テーブル部自体の熱伝導率を小さくしてこのテーブル部に載置される高温発熱機器の使用時に熱が外箱や発泡断熱材に伝わりにくくしている。
【０００８】
　請求項３の発明では、両側壁及び背壁等で形成される外箱と、この外箱の上面に配置されるトップテーブルと、このトップテーブル及び外箱の内側に間隔を設けて配置される内箱と、これらの内箱、外箱及びトップテーブルの間に充填する発泡断熱材とで構成するトップテーブル付冷蔵庫において、前記トップテーブルを外箱の上端縁に係止し上面中央に凹所を有するトップテーブル本体と、このトップテーブル本体の凹所に配置し内部に空間を有する耐熱性の材料で形成されるテーブル部とで構成し、このテーブル部をトップテーブル本体より高く形成すると共に、前記空間に連通する孔を前記トップテーブル本体より上方に開口させ、前記テーブル部に載置される高温発熱機器の使用時にこの高温発熱機器から伝わる熱で空間内の空気が加熱されてもテーブル部に設けた孔から排出され前記空間内の空気の温度上昇が抑えられ、外箱や発泡断熱材に空間内の空気を介して熱が伝わらないようにしている。
【０００９】
　請求項４の発明では、両側壁及び背壁等で形成される外箱と、この外箱の上面に配置されるトップテーブルと、このトップテーブル及び外箱の内側に間隔を設けて配置される内箱と、これらの内箱、外箱及びトップテーブルの間に充填する発泡断熱材とで構成するトップテーブル付冷蔵庫において、前記トップテーブルを外箱の上端縁に係止し上面中央に凹所を有するトップテーブル本体と、このトップテーブル本体の凹所に配置し内部に空間を有する耐熱性の材料で形成されるテーブル部とで構成し、このテーブル部の空間に断熱材を設け、前記テーブル部に載置される高温発熱機器の使用時にこの高温発熱機器から伝わる熱を断熱し、外箱や発泡断熱材に熱が伝わらないようにしている。
【００１０】
　請求項５の発明では、両側壁及び背壁等で形成される外箱と、この外箱の上面に配置されるトップテーブルと、このトップテーブル及び外箱の内側に間隔を設けて配置されて内部に冷却室を形成する内箱と、これらの内箱、外箱及びトップテーブルの間に充填する発泡断熱材とで構成するトップテーブル付冷蔵庫において、前記トップテーブルを外箱の上端縁に係止し上面中央に凹所を有する合成樹脂製のトップテーブル本体と、このトップテーブル本体の凹所に配置し内部に空間を有する耐熱性の材料で形成されるテーブル部とで構成し、前記トップテーブル本体の凹所と発泡断熱材との間に前記冷却室に一端を臨ませた熱伝導部材を配置し、前記テーブル部を冷却してこのテーブル部に載置される高温発熱機器の使用時に前記テーブル部が温度上昇しないようにしている。
【００１１】
　請求項６の発明では、両側壁及び背壁等で形成される外箱と、この外箱の上面に配置されるトップテーブルと、このトップテーブル及び外箱の内側に間隔を設けて配置されて内部に冷凍装置によって冷却される冷却室を形成する内箱と、これらの内箱、外箱及びトップテーブルの間に充填する発泡断熱材とで構成するトップテーブル付冷蔵庫において、前記トップテーブルを外箱の上端縁に係止し上面中央に凹所を有する合成樹脂製のトップテーブル本体と、このトップテーブル本体の凹所に配置し内部に空間を有する耐熱性の材料で形成されるテーブル部とで構成し、前記トップテーブル本体の凹所と発泡断熱材との間に前記冷凍装置の低温部に一端を接続した熱伝導部材を配置し、前記テーブル部を冷凍装置の低温部で冷却してこのテーブル部に載置される高温発熱機器の使用時に前記テーブル部が温度上昇しないようにしている。
【００１２】
　請求項７の発明では、両側壁及び背壁等で形成される外箱と、この外箱の上面に配置されるトップテーブルと、このトップテーブル及び外箱の内側に間隔を設けて配置されて内部に冷却室を形成する内箱と、これらの内箱、外箱及びトップテーブルの間に充填する発泡断熱材とで構成するトップテーブル付冷蔵庫において、前記トップテーブルを外箱の上端縁に係止し上面中央に凹所を有する合成樹脂製のトップテーブル本体と、このトップテーブル本体の凹所に配置し内部に空間を有する耐熱性の材料で形成されるテーブル部とで構成し、前記トップテーブル本体の凹所内に熱線反射用のアルミシートを配置し、前記テーブル部に載置される高温発熱機器の使用時に発生する熱線をアルミシートで反射させ、外箱や発泡断熱材へ熱が伝わりにくくしている。
【発明の効果】
【００１３】
　請求項１の発明によれば、両側壁及び背壁等で形成される外箱と、この外箱の上面に配置されるトップテーブルと、このトップテーブル及び外箱の内側に間隔を設けて配置される内箱と、これらの内箱、外箱及びトップテーブルの間に充填する発泡断熱材とで構成するトップテーブル付冷蔵庫において、前記トップテーブルを外箱の上端縁に係止し上面中央に凹所を有するトップテーブル本体と、このトップテーブル本体の凹所に配置し内部に断熱空間を有する耐熱性の材料で形成されるテーブル部とで構成したので、このテーブル部にオーブン等の高温発熱機器を載置して使用したときに前記機器からの熱が空間で断熱され、外箱や発泡断熱材に伝わらないようにできる。
【００１４】
　請求項２の発明によれば、両側壁及び背壁等で形成される外箱と、この外箱の上面に配置されるトップテーブルと、このトップテーブル及び外箱の内側に間隔を設けて配置される内箱と、これらの内箱、外箱及びトップテーブルの間に充填する発泡断熱材とで構成するトップテーブル付冷蔵庫において、前記トップテーブルを外箱の上端縁に係止し上面中央に凹所を有するトップテーブル本体と、このトップテーブル本体の凹所に配置し内部に断熱空間を有する耐熱性のステンレス等の金属材料で形成されるテーブル部とで構成し、このテーブル部をトップテーブル本体と略同一高さ、あるいは若干高くしたので、前記テーブル部自体の熱伝導率を小さくするとともに、このテーブル部に載置される高温発熱機器がトップテーブル本体に直接接触しないようにしてこの高温発熱機器の使用時に熱が外箱や発泡断熱材に伝わりにくくできる。
【００１５】
　請求項３の発明によれば、両側壁及び背壁等で形成される外箱と、この外箱の上面に配置されるトップテーブルと、このトップテーブル及び外箱の内側に間隔を設けて配置される内箱と、これらの内箱、外箱及びトップテーブルの間に充填する発泡断熱材とで構成するトップテーブル付冷蔵庫において、前記トップテーブルを外箱の上端縁に係止し上面中央に凹所を有するトップテーブル本体と、このトップテーブル本体の凹所に配置し内部に空間を有する耐熱性の材料で形成されるテーブル部とで構成し、このテーブル部をトップテーブル本体より高く形成すると共に、前記空間に連通する孔を開口させたので、前記テーブル部に載置される高温発熱機器の使用時にこの高温発熱機器から伝わる熱で空間内の空気が加熱されてもテーブル部に設けた孔から排出され前記空間内の空気の温度上昇が抑えられ、外箱や発泡断熱材に空間内の空気を介して熱が伝わらないようにできる。
【００１６】
　請求項４の発明によれば、両側壁及び背壁等で形成される外箱と、この外箱の上面に配置されるトップテーブルと、このトップテーブル及び外箱の内側に間隔を設けて配置される内箱と、これらの内箱、外箱及びトップテーブルの間に充填する発泡断熱材とで構成するトップテーブル付冷蔵庫において、前記トップテーブルを外箱の上端縁に係止し上面中央に凹所を有するトップテーブル本体と、このトップテーブル本体の凹所に配置し内部に空間を有する耐熱性の材料で形成されるテーブル部とで構成し、このテーブル部の空間に断熱材を設けたので、前記テーブル部に載置される高温発熱機器の使用時にこの高温発熱機器から伝わる熱を断熱し、外箱や発泡断熱材に熱が伝わらないようにできる。
【００１７】
　請求項５の発明によれば、両側壁及び背壁等で形成される外箱と、この外箱の上面に配置されるトップテーブルと、このトップテーブル及び外箱の内側に間隔を設けて配置されて内部に冷却室を形成する内箱と、これらの内箱、外箱及びトップテーブルの間に充填する発泡断熱材とで構成するトップテーブル付冷蔵庫において、前記トップテーブルを外箱の上端縁に係止し上面中央に凹所を有する合成樹脂製のトップテーブル本体と、このトップテーブル本体の凹所に配置し内部に空間を有する耐熱性の材料で形成されるテーブル部とで構成し、前記トップテーブル本体の凹所と発泡断熱材との間に前記冷却室に一端を臨ませた熱伝導部材を配置したので、前記テーブル部を冷却してこのテーブル部に載置される高温発熱機器の使用時に前記テーブル部が温度上昇しないようにできる。
【００１８】
　請求項６の発明によれば、両側壁及び背壁等で形成される外箱と、この外箱の上面に配置されるトップテーブルと、このトップテーブル及び外箱の内側に間隔を設けて配置されて内部に冷凍装置によって冷却される冷却室を形成する内箱と、これらの内箱、外箱及びトップテーブルの間に充填する発泡断熱材とで構成するトップテーブル付冷蔵庫において、前記トップテーブルを外箱の上端縁に係止し上面中央に凹所を有する合成樹脂製のトップテーブル本体と、このトップテーブル本体の凹所に配置し内部に空間を有する耐熱性の材料で形成されるテーブル部とで構成し、前記トップテーブル本体の凹所と発泡断熱材との間に前記冷凍装置の低温部に一端を接続した熱伝導部材を配置したので、前記テーブル部を冷凍装置の低温部で冷却してこのテーブル部に載置される高温発熱機器の使用時に前記テーブル部が温度上昇しないようにできる。
【００１９】
　請求項７の発明によれば、両側壁及び背壁等で形成される外箱と、この外箱の上面に配置されるトップテーブルと、このトップテーブル及び外箱の内側に間隔を設けて配置されて内部に冷却室を形成する内箱と、これらの内箱、外箱及びトップテーブルの間に充填する発泡断熱材とで構成するトップテーブル付冷蔵庫において、前記トップテーブルを外箱の上端縁に係止し上面中央に凹所を有する合成樹脂製のトップテーブル本体と、このトップテーブル本体の凹所に配置し内部に空間を有する耐熱性の材料で形成されるテーブル部とで構成し、前記トップテーブル本体の凹所内に熱線反射用のアルミシートを配置したので、前記テーブル部に載置される高温発熱機器の使用時に発生する熱線をアルミシートで反射させ、外箱や発泡断熱材へ熱が伝わりにくくできる。
【発明を実施するための最良の形態】
【００２０】
　以下この発明を図に基づいて説明する。
【００２１】
　図１はこの発明の一実施例を示す冷蔵庫の斜視図である。図２はこの発明の冷蔵庫のトップテーブルの要部断面図である。
【００２２】
　１は前面を開口する冷蔵庫本体、２は冷蔵庫本体１の開口を開閉自在に閉塞する扉、３は冷蔵庫本体１の上端に装着するトップテーブルである。
【００２３】
　冷蔵庫本体１は両側壁４とこの側壁の背面側に設けられる背壁５とで形成される外箱６と、この外箱の内側で間隔を介して配置され前面を開口した内箱７と、この内箱と外箱との間及び内箱とトップテーブル３との間に充填される発泡断熱材８とで構成されている。内箱７には開口端に内側から外側に向かってフランジ９が形成され、このフランジの上端は外箱６の両側壁４及び背壁５の上端と同じ高さに形成されている。
【００２４】
　トップテーブル３は外箱６の上端と内箱７のフランジ９の上端とに係止して水平に設置される合成樹脂で形成されるトップテーブル本体１０と、ステンレス等の耐熱性の金属材料で形成されるテーブル部１１とで構成されている。トップテーブル本体１０は周囲に下方に向かって折曲される折り曲げ片１２を有し、前端を外箱６より前方に突出させて扉２と同一面にしている。トップテーブル本体１０には四角形に凹所１３が形成されている。この凹所にはテーブル部１１が嵌合されている。このテーブル部は平板１４とこの平板の周囲に下方に向かって形成される脚片１５とで構成されている。テーブル部１１はトップテーブル本体１０の凹所１３に嵌め合わせることで内部に空間１６を形成している。
【００２５】
　テーブル部１１はトップテーブル本体１０の凹所１３に嵌め合わせたときに略同一高さ、あるいは若干高くし、トップテーブル本体１０の周りより低くならないようにしている。
【００２６】
　このように構成されたトップテーブル付冷蔵庫において、冷蔵庫は外箱６と内箱７とで形成される冷蔵庫本体１の上端にトップテーブル３を組み込み、これらの間に発泡断熱材８を充填し、扉２を取り付けて形成される。
【００２７】
　冷蔵庫本体１の外箱６と内箱７及びトップテーブル３のトップテーブル本体１０は発泡断熱材８の接着力によってこの発泡断熱材の凝固時に接着され特別な固定具を不要にしている。
【００２８】
　トップテーブル３のトップテーブル本体１０は側壁４及び背壁５の上端に折り曲げ片１２を係止するとともに、凹所１３を下側に突出させることにより、固化する発泡断熱材８で接着固定され横ズレが起こらないようにされている。テーブル部１１はトップテーブル本体１０の凹所１３内に装着することにより、この凹所のトップテーブル本体１０と平板１４との間に空間１６が形成され、この空間を断熱空間にすることができるようにされている。そのため、テーブル部１１はオーブンやオーブンレンジ等の高温発熱機器を載置して使用してもこの高温発熱機器の熱が外箱６や発泡断熱材８に伝わりにくくし、外箱６の変形や発泡断熱材８の再加熱による２次発泡を防止できるようにしている。
【００２９】
　テーブル部１１とトップテーブル本体１０の凹所１３とは正方形に形成することにより、凹所１３へのテーブル部１１の装着を容易にしている。また、テーブル部１１はトップテーブル本体１０の周囲と略同一高さ、あるいは若干高くすることにより、高温発熱機器を載置したときに位置がズレてもトップテーブル本体１０に直接接触しないようにしている。
【００３０】
　図３は他の実施例を示し、テーブル部２０をトップテーブル本体２１より充分に高くし、テーブル部２０の脚片２２のトップテーブル本体２１より高い位置に孔２３を設け、テーブル部２０の内部に形成された空間２４の空気が出入りするようにし、空間２４内の空気が高温発熱機器で高温にならないようにしている。
【００３１】
　図４はその他の実施例を示し、テーブル部３０の空間３１内に断熱材３２を装着し、テーブル部３０に載置した高温発熱機器の熱が外箱３３や発泡断熱材３４に伝わりにくくしている。
【００３２】
　図５は他の実施例を示し、トップテーブル本体４０と発泡断熱材４１との間に内箱４２内に形成される冷却室４３内に一端を臨ませた熱伝導部材４４を介在させてトップテーブル本体４０の凹所４５を冷却し、テーブル部４６に載置した高温発熱機器からの熱でトップテーブル本体４０が温度上昇しないようにしている。
【００３３】
　図６は他の実施例を示し、テーブル部５０をトップテーブル本体５１より充分に高くし、テーブル部５０の脚片５２のトップテーブル本体５１より高い位置に孔５３を設け、トップテーブル本体５１と発泡断熱材５４との間に冷却室５５を冷却する冷凍装置の低温部すなわちアキュムレータ５６に一端を接続した熱伝導部材５７を介在させてトップテーブル本体５１の凹所５８を冷却し、テーブル部５０に載置した高温発熱機器からの熱でトップテーブル本体５１が温度上昇しないようにするとともに、テーブル部５０の内部に形成された空間５９の空気を孔５３で出入りさせ、この空間５９の空気が高温発熱機器で高温にならないようにしている。
【００３４】
　図７は他の実施例を示し、テーブル部６０をトップテーブル本体６１より充分に高くし、テーブル部６０の脚片６２のトップテーブル本体６１より高い位置に孔６３を設け、トップテーブル本体６１の凹所６４の上面に熱線を反射するアルミシート６５け、テーブル部６０に載置した高温発熱機器からの輻射熱を拡散反射させてトップテーブル本体６１が温度上昇しないようにするとともに、テーブル部６０の内部に形成された空間６６の空気を孔６３で出入りさせ、この空間６６の空気が高温発熱機器で高温にならないようにしている。
【図面の簡単な説明】
【００３５】
【図１】この発明の一実施例を示す冷蔵庫の斜視図である。
【図２】この発明の冷蔵庫のトップテーブルの要部断面図である。
【図３】この発明の他の実施例を示す冷蔵庫のトップテーブルの要部断面図である。
【図４】この発明のその他の実施例を示す冷蔵庫のトップテーブルの要部断面図である。
【図５】この発明の他の実施例を示す冷蔵庫のトップテーブルの要部断面図である。
【図６】この発明の他の実施例を示す冷蔵庫のトップテーブルの要部断面図である。
【図７】この発明の他の実施例を示す冷蔵庫のトップテーブルの要部断面図である。
【符号の説明】
【００３６】
　３　トップテーブル
　４　側壁
　５　背壁
　６，３３　外箱
　７，４２　内箱
　８，３４，４１，５１　発泡断熱材
　１０，２１，４０，５０，６０　トップテーブル本体
　１１，２０，３０，４６，５６，６３　テーブル部
　１３，４５，５５，６１　凹所
　１６，２４，３１　空間
　２３　孔
　３２　断熱材
　４３，５２　冷却室
　４４，５４　熱伝導部材
　５３　アキュムレータ
　６２　アルミシート
【図１】
2004108773.tif 000003
【図２】
2004108773.tif 000004
【図３】
2004108773.tif 000005
【図４】
2004108773.tif 000006
【図５】
2004108773.tif 000007
【図６】
2004108773.tif 000008
【図７】
2004108773.tif 000009